(57)【要約】【課題】  グランドピアノに容易に着脱でき、鍵盤蓋を開いた際の鍵盤蓋と譜面台との間の間隙を覆うことにより、当該間隙に楽譜や筆記用具が落下するのを防止すると共に、鍵盤蓋とピアノ本体とを固定することにより、鍵盤蓋が急に閉じることで起こる鍵盤楽器や指の損傷を防ぐことができる鍵盤蓋用カバーを提供する。【解決手段】  帯状の鍵盤蓋用カバー１の本体部２と、前記本体部２の後方縁部２２に取り付けられた磁石４と、前記本体部２の前方縁部２１に設けたゴム紐６と、前記本体部２の両端部に取り付けた取付用紐７とからなる鍵盤蓋用カバー。【選択図】図１
0003176633.tif 000002
【実用新案登録請求の範囲】
【請求項１】
帯状の布地からなる本体部を構成し、前記本体部の両端部に、鍵盤蓋の先端角部に取り付けるための鍵盤蓋用係止部を構成し、前記本体部の両端部に、ピアノ本体に固定するための取付用紐を構成したこと特徴とするグランドピアノの鍵盤蓋用カバー。
【請求項２】
前記本体部の前方縁部に袋状部を構成し、この袋状部の内部にゴム紐を取り付け、前記本体部の後方縁部に袋状部を構成し、この袋状部の内部に磁石を取り付けたこと特徴とする請求項１記載のグランドピアノの鍵盤蓋用カバー。
【考案の詳細な説明】
【技術分野】
【０００１】
本考案は、グランドピアノの鍵盤蓋を開いた際に生じる、鍵盤蓋とピアノ本体との間隙を覆うことにより、この間隙に楽譜や筆記用具等がピアノ本体内部へ落下するのを防止すると共に、鍵盤蓋をピアノ本体に固定することにより、鍵盤蓋が急に閉じることで生じる指等の負傷を防ぐ鍵盤蓋用カバーに関するものである。
【背景技術】
【０００２】
従来より、グランドピアノ等の鍵盤楽器の鍵盤楽器本体を損傷することなく鍵盤蓋を確実にゆっくり閉じるための装置として、特許文献１に示すようなアクチュエータ金具やピストン式オイルダンパーからなる開閉制御装置があった。
【先行技術文献】
【特許文献】
【０００３】
【特許文献１】特開２００１−１５４６５８公報
【０００４】
前記発明は、ピアノ本体（４）の後部上方に配置されたカバー板材（５）との間の隙間を塞ぐための蓋後付（２ｂ）を後部に有する鍵盤蓋（１）の開閉を制御するための鍵盤蓋の開閉制御装置であって、鍵盤蓋（１）が閉鎖位置に向かって回動するときに、ピストン（１５）が蓋後付（２ｂ）およびアクチュエータ金具（１２）で押し上げられることにより鍵盤蓋（１）を制動するものである。
【０００５】
前記発明によれば、既存の鍵盤楽器に、外観に影響を及ぼすことなく容易に取付でき、鍵盤蓋を確実にゆっくり閉じることができるとともに、コストを削減できる等の効果を有している。
【考案の概要】
【考案が解決しようとする課題】
【０００６】
しかしながら、前記特許文献１の発明では、その装置の取り付け方法が複雑であり、又装置の価格が高価であることから、これを利用できる者が限定されるという問題があった。
【０００７】
また、グランドピアノ等の鍵盤楽器の鍵盤蓋を開いて使用する際に生じる鍵盤蓋と鍵盤楽器本体との間隙が依然として存在するため、譜面台に置かれた譜面や筆記用具が僅かな振動により、この間隙に落下することを防ぐには困難を伴うという問題があった。
【課題を解決するための手段】
【０００８】
請求項１記載の考案は、帯状の布地からなる本体部を構成し、前記本体部の両端部に、鍵盤蓋の先端角部に取り付けるための鍵盤蓋用係止部を構成し、前記本体部の両端部に、ピアノ本体に固定するための取付用紐を構成したグランドピアノの鍵盤蓋用カバーである。
【０００９】
請求項２記載の考案は、前記本体部の前方縁部に袋状部を構成し、この袋状部の内部にゴム紐を取り付け、前記本体部の後方縁部に袋状部を構成し、この袋状部の内部に磁石を取り付けたグランドピアノの鍵盤蓋用カバーである。
【考案の効果】
【００１０】
請求項１記載の考案によれば、グランドピアノの鍵盤蓋を開いた際に生じる、鍵盤蓋とピアノ本体との間隙の上面が全面に亘って覆われるため、当該間隙に楽譜や筆記用具等が落下することが防止される。
さらに、鍵盤蓋がピアノ本体に結合して固定されるため、鍵盤蓋が急に閉じることによるグランドピアノの損傷や指等の負傷を防ぐことができる。
【００１１】
請求項２記載の考案によれば、前記本体部の前方縁部にゴム紐を取り付けたため、鍵盤蓋の表面に確実にフイットさせながら取り付けることができると共に、本体部の後方縁部に複数の磁石を取り付けたため、本体部を容易、確実にピアノ本体に固定できる。
【図面の簡単な説明】
【００１２】
【図１】本考案の実施形態１の鍵盤蓋用カバーの正面図
【図２】本考案の実施形態１の鍵盤蓋用カバーの背面図
【図３】本考案の実施形態１の使用状態の説明図
【図４】本考案の実施形態１の使用状態の説明図
【図５】ピアノ本体と鍵盤蓋との間隙を示す一部切り欠き断面図
【考案を実施するための形態】
【００１３】
本考案の実施形態１を図１乃至図５について説明する。
本実施形態の鍵盤蓋用カバー１は、略長方形の布地からなる本体部２と、この本体部２の前方縁部２１を、１ｃｍ程度裏面側に折り込み縫い合わせて袋状部５を構成し、この袋状部５内部にゴム紐６を収容し、このゴム紐６の両端を本体部２の端部に固定することで袋状部５全体にゴム紐６を貫通させる。
この本体部２の材質や大きさ等に限定はないが、伸縮性のある薄手の布地が好ましい。
また、裏面に芯地を貼ってしっかりとしたものにすることもできる。
【００１４】
前記本体部２の後方縁部２２を、２ｃｍ程度裏面側に折り込み縫い合わせて袋状部３を構成し、この袋状部３の内部に５個の磁石４を固定する。この磁石の数は５個に限らず任意に決定できる。
【００１５】
さらに本体部２の両端の短辺部を、それぞれ前記袋状部５の端部より４ｃｍ程度延長して、両端に延長部２ａを構成する。この延長部２ａ，２ａを裏面側に折り込んで、前方の縁部２ｂ，２ｂを袋状部５の端部と縫い合わせる。
これによって、前記延長部２ａ前方の縁部２ｂと袋状部５の端部との縫い目の裏面に一部袋状になった鍵盤蓋用係止部２ｃが形成される。
【００１６】
さらに前記本体部２の両端の延長部２ａの後方側に取付用紐７の一端を縫いこんである。この取付用紐７は、鍵盤蓋８に装着した鍵盤蓋用カバー１をピアノ本体９に固定するためのものである。
【００１７】
上記のように構成した本実施形態の作用を説明する。
前記鍵盤蓋用カバー１を使用する場合は、まず、開かれた鍵盤蓋８の上部全面をゴム紐６が通された本体部２の前方部分で覆う。
このとき、図３に示すように、前記本体部２の両端の延長部２ａ前方の縁部２ｂと袋状部５の両端部との間に形成した鍵盤蓋用係止部２ｃを、鍵盤蓋８の両端の先端角部８ａ，８ａに嵌めこむようにして係止する（図５参照）。
【００１８】
その後、前記本体部２の延長部２ａに取り付けた取付用紐７をピアノ本体９の反響板の支柱１１に結び付けると共に、磁石４を内部の金属板１２表面に固定する。
【００１９】
これによって、鍵盤蓋用カバー１は、ゴム紐６、磁石４及び取付用紐７により鍵盤蓋８の上端全面に固定され、ピアノ本体９に確実に取り付けられるため、鍵盤蓋８が開かれている際に鍵盤蓋用カバー１が外れるおそれはない。この状態でピアノを演奏する。
【００２０】
次に本実施形態の効果を説明する。
ピアノの演奏やその指導に際して、譜面台１３に楽譜や筆記用具を置くことになる。
この場合、本実施形態では、図５に示すようにピアノ本体９と鍵盤蓋８との間の間隙１４の上面が鍵盤蓋用カバー１によって全面的に覆われているため、演奏による振動や不注意により楽譜や筆記用具が間隙１４に落下し、鍵盤蓋８の表面に沿って落下して、ピアノの内部９ａに転落することが防止されるのである。
【００２１】
また、前記鍵盤蓋用カバー１によって鍵盤蓋８がピアノ本体９に固定されているため、鍵盤蓋８が急に前方に倒れてきて閉じる危険性もなくなり、これによるピアノ本体９の損傷や鍵盤蓋８に指を挟んで負傷するというおそれもなくなる。
さらに、前記鍵盤蓋用カバー１は、ピアノ本体９への取り付け、取り外しが容易であり、収納や形態にも便利であるという特徴がある。
【符号の説明】
【００２２】
１  鍵盤楽器の鍵盤蓋用カバー   ２ｃ  鍵盤蓋用係止部
２  本体部                     ４  磁石
３  袋状部                     ６  ゴム紐          
５  袋状部                     ８  鍵盤蓋        
７  取付用紐                   ９  ピアノ本体        
８ａ  鍵盤蓋の先端角部       １４  間隙
１３  譜面台                   ２２  後方縁部
２１  前方縁部                  
【図１】
0003176633.tif 000003
【図２】
0003176633.tif 000004
【図３】
0003176633.tif 000005
【図４】
0003176633.tif 000006
【図５】
0003176633.tif 000007